(57)【要約】【課題】遺体に容易に着付けることができる遺体用ドレス、遺体用下着、故人の顔を優しく包むベール、故人の髪を美しく飾る花の髪飾り、手紙や思いを入れる花を模ったポーチ、足元を美しく見せる遺体用靴下、これらすべてを生前から慌てることなく用意することができるトータルコーディネートされた洋装死に装束セット【解決手段】遺体用ドレスの後ろ身頃上背部にバイヤス生地を使用し、死後硬直により硬直した遺体にも容易に着付ける事が出来ることを特徴とし、遺体用ドレスの両袖に腕を通し遺体の体形に合わせて胸元を左右のリボンで閉じる、胸下にギャザーを入れたことにより遺体に貼りつかず故人の足元まで、ふんわりと優しく包み、美観を保つことができる。首元と胸元にフリルの入ったレース素材を使ったケープを肩に合わせ首元をリボンで結ぶケープとセットの遺体用ドレス【選択図】図１
0003161234.tif 000002
【実用新案登録請求の範囲】
【請求項１】
遺体に着付けるフリーサイズの遺体用ドレスの後ろ身頃上背部にバイヤス生地を配置し、前身頃の胸下部にはギャザーを設け、胸元を左右に重ね袖下付近に胸元を綴じるためのリボンをそれぞれ２本逢着る、さらに脇を綴じるリボンを逢着し遺体を飾るためにフリルの入ったレース素材を使ったケープを肩に合わせて首元をリボンで結んで装飾するケープとドレスをセットで使うことを特徴とする遺体用ドレスセットの構造。
【請求項２】
シフォン素材２枚とレース素材１枚を重ね合わせた３重構造に、周りをレースで縁取りした四角型のベールで遺体の顔にかけるベール。
【請求項３】
サテン生地とオーガンジー素材を花びら型にした物を合わせ一輪の花にし、可燃性素材のＵ字型のピンに付けたことを特徴とする故人の顔を華やかに彩る髪飾り。
【請求項４】
サテン生地とオーガンジー素材を花びら型に模り大小の花びらを合わせ大輪の花に見立てた袋で、故人への手紙や三途の川の渡り銭を入れるなどに利用するポーチ。
【請求項５】
遺体の足元を包む靴下、容易に装着できる様に伸縮性のある素材を使用し、さらにサイズの調整が可能なように、レースにリボンを通し編み込み式にしてリボンの結び具合によりサイズの調整が可能なことを特徴とする遺体用靴下。
【請求項６】
綿素材を使用し遺体の胸元で巻き右前身頃の紐を左前身頃の紐と結ぶ、胸元にゴムが入れてあるため体の大きさにしっかりと合わせることができる遺体用下着。
【考案の詳細な説明】
【技術分野】
【０００１】  本考案は、トータルコーディネートされた死に装束に関するものである。
【背景技術】
【０００２】  従来遺体に着付ける装束は、浴衣風の白衣装束が一般的であったが、近年、洋装を着付ける風習が広がりつつある、【０００３】  しかしながら、従来の浴衣風の習慣が捨てきれず、アンバランスなドレスが多く遺体を美しく装飾する配慮が欠けていた。
【先行技術文献】
【特許文献】
【０００４】
【特許文献１】実用新案登録第３１４３１１０号公報
【特許文献２】実用新案登録第３１２６１７５号公報
【特許文献３】実用新案登録第３１００８５５号公報
【考案の概要】
【考案が解決しようとする課題】
【０００５】  本考案は、以上のように、従来のような欠点を解消するために、フリーサイズのドレスでありながらあたかもオーダーメードのように、体形に合わせてサイズの微調整ができるようにギャザーとリボンを組み合わせた構造にし、しかも装束に含めて遺体を飾る装飾品等、必要な物を一つにまとめてセットとして用意しておくことで従来の欠点を補おうとするものである。
【課題を解決するための手段】
【０００６】  本考案は、遺体用ドレスの後ろ身頃上背部にバイヤス生地を使用し、バイヤス生地の伸縮性を活かし死後硬直により硬直した遺体にも容易に着付ける事が出来る遺体用ドレスでドレスの両袖に腕を通し遺体の大きさに合わせ胸元を左右のリボンで閉じ胸元のリボンの結び具合により、サイズ調整を容易にするためにリボンをつけたことを特徴としており、胸下にはたっぷりとギャザーを入れたことによりドレスが遺体に貼りつかず、遺体の足元までふんわりと優しく包み美観を保つことができる。首元と胸元にフリルのたっぷり入ったレース素材を使ったケープを肩に合わせ首元をリボンで結ぶケープとドレスをセットにした遺体用ドレスを提供する。
【考案の効果】
【０００７】  以上の説明のように本考案では次のような効果が得られる。
（１）  請求項１記載のように胸下にたっぷりのギャザーを設け、後ろ身頃上背面には          バイヤス生地を用いたことで死後硬直の遺体でも無理な扱いをせずに丁寧に装          束をまとうことができ、さらに遺体を飾るためにケープはフリルが入ったレー          ス素材を使っているので胸元にふんわりとボリューム感を持たせることで、ふ          くよかな雰囲気を醸し出し遺体との距離感を縮める効果がある。
肩に合わせて首元をリボンで結んで装飾することで、遺体を一層美しく引き立          たせる効果ある。
（２）  請求項３から５の全ての付属品を専用箱に納めて納棺まで遺体の枕元に供えて          置けば近親者の情感を高め、納棺の儀にはやさしくしめやかに遺体に洋装の装          束をまとい、頭からつま先までを美しく装飾して送り出すことで故人への深い          哀惜の念を捧げることができる。【０００８】  本考案の請求項２記載の考案は、シフォン素材２枚とレース素材１枚を、重ね合わせた３重構造に、周りをレースで縁取りした四角型のベールで遺体の顔にかけることにより美観を保つことができる。【０００９】  本考案の請求項３記載の考案は、故人の髪を美しく飾る花型の髪飾りで、サテン生地とオーガンジー素材を花びら型にした物を合わせ一輪の花にし、可燃性素材のＵ字型のピンに付けたことを特徴とする、故人の髪を華やかに彩る髪飾り。【００１０】  本考案の請求項４記載の考案は、サテン生地とオーガンジー素材を花びら型に模り大小の花びらを合わせ大輪の花に見立てた袋で、故人への手紙や三途の川の渡り銭を入れるなどに利用する。従来の袋とは違い、華やかで遺体の美観を保つことができる事を特徴とするポーチ。【００１１】  本考案の請求項５記載の考案は、遺体の足元を包む靴下で、レースをたっぷり使用することで足元を優しく包み込み美観を保つことができる、容易に装着できる様に伸縮性のある素材を使用し、さらにサイズの調整が可能なようにレースにリボンを通し編み込み式にしてリボンの結び具合によりサイズの調整が可能なことを特徴とする遺体用靴下。【００１２】  本考案の請求項６記載の考案は、遺体の肌に直接触れるため綿素材を使用した遺体用下着、胸囲部分に巻き右前身頃の紐と左前身頃の紐を遺体の体に合わせ結び、胸囲部分にゴムが入っていることにより、遺体にしっかりと合わせる事ができるため遺体用ドレスを着付ける際にずれること無く着付けることができる事を特徴とする遺体用下着。
【図面の簡単な説明】
【００１３】
【図１】本考案の遺体用ドレスの実施形態を示す前面の斜視図である。
【図２】本考案の遺体用ドレスの実施形態を示す背面の斜視図である。
【図３】本考案の一つの実施形態に係るケープの斜視図である。
【図４】本考案の一つの実施形態に係る遺体用ドレスとケープを着付けた平面図である。
【図４】本考案の一つの実施形態に係るベールの平面側の図である。
【図５】本考案の一つの実施形態に係る髪飾りの平面図である。
【図６】本考案の一つの実施形態に係るポーチの平面側の図である。
【図７】本考案の一つの実施形態に係る遺体用靴下の斜視図である。
【図８】本考案の一つの実施形態に係る遺体用下着の平面図である。
【図９】本考案に係るすべての部材をまとめて箱に納めた状態の斜視図である。
【考案を実施するための形態】
【００１４】  本考案の実施の形態を図に基づいて着用順に説明すれば、図９の遺体用下着本体１９を胸囲部分に巻き右前身頃部に逢着されている右前身頃２０のリボンと左前身頃部に逢着されている左前身頃２１のリボンを遺体に合わせて結んで下着を調える。
【００１５】  次に図１の遺体用ドレス１の袖４、５にそれぞれ腕を通し胸元を体形に合わせる。このとき遺体を左右に大きく揺り動かす動作を伴うが、図２のバイヤス８の伸縮機能により遺体に苦痛を与えずスムーズに着付け作業ができ、リボンで胸部を整え、首元に図３のケープ９を飾り付け図８の遺体用靴下１７，１８を装着して、姿態を整える。
【実施例１】
【００１６】  以下、添付図面に従って一実施例を説明する。図１及び図２は洋装の死に装束の遺体用ドレスの斜視図である、１は遺体用ドレスの本体である、８は後ろ身頃部のバイヤス、２は右前身頃部、３は左前身頃部、４は左袖部、５は右袖部、６は左前見頃リボン、７は右前身頃リボンで構成されていて、図９の遺体用下着本体１９を胸囲部分に巻き右前身頃リボン１９と左前身頃リボン２０を遺体に合わせて結び、図１の遺体用ドレス１の袖部４、５に遺体の腕を通し胸元を体形に合せ左右のリボン６、７で閉じ、次に図３のケープ本体９を肩に合わせ首元を左右の前身頃リボン１０、１１で結び、髪には図６の髪飾り１４を可燃性のＵ字型ピン１５で取り付け、図７の花びら型ポーチ１６に故人が愛用していた遺品や手紙等を入れ腕に通して胸元に置く。
【実施例２】
【００１７】  図８の遺体用靴下１７、１８はつま先から履き、編み状に通したリボンの結び具合でサイズ調整をすることができる。
【実施例３】
【００１８】  図５はベール１３で遺体の顔の鼻部分を覆うもので中心に合わせ顔にかける。
【産業上の利用可能性】
【００１９】    本考案は、全ての人が一度は出会う永久の旅立ちの死に装束を製造する産業で利用さ  れる。
【符号の説明】
【００２０】  １遺体用ドレス
２左前身頃部
３右前身頃部
４左袖部
５右袖部
６左前身頃リボン７Ａ・７Ｂ・７Ｃ・７Ｄ・７Ｅ・７Ｆ
７右前身頃リボン８Ａ・８Ｂ・８Ｃ・８Ｄ・８Ｅ・８Ｆ
８後ろ身頃バイヤス部
９ケープ本体
１０ケープ左前身頃リボン
１１ケープ右前身頃リボン
１２遺体用ドレスとケープのセット図
１３三重構造ベール
１４髪飾り本体
１５竹素材Ｕ字型ピン
１６花びら型ポーチ
１７遺体用靴下前側
１８遺体用靴下後側
１９遺体用下着本体
２０遺体用下着右前身頃リボン
２１遺体用下着左前身頃リボン
２２セット本体
【図１】
0003161234.tif 000003
【図２】
0003161234.tif 000004
【図３】
0003161234.tif 000005
【図４】
0003161234.tif 000006
【図５】
0003161234.tif 000007
【図６】
0003161234.tif 000008
【図７】
0003161234.tif 000009
【図８】
0003161234.tif 000010
【図９】
0003161234.tif 000011
【図１０】
0003161234.tif 000012
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
遺体に着付けるフリーサイズの遺体用ドレスの後ろ身頃上背部にバイヤス生地を配置し、前身頃の胸下部にはギャザーを設け、胸元を左右に重ね袖下付近に胸元を綴じるためのリボンをそれぞれ２本逢着る、さらに脇を綴じるリボンを逢着し遺体を飾るためにフリルの入ったレース素材を使った首元のリボンでサイズ調整の構造を有すケープを肩に合わせて首元をリボンで結んで装飾するケープと後ろ身頃上背部に伸縮構造を有する合わせドレスをセットで使うことを特徴とする遺体用ドレスセット。
【請求項２】
シフォン素材２枚とレース素材１枚を重ね合わせた３重構造に、周りをレースで縁取りした四角型のベールで遺体用ドレスとセットで遺体の顔にかけることを特徴とするベール。
【請求項３】
サテン生地とオーガンジー素材を花びら型にした物を合わせ一輪の花にし、可燃性素材のＵ字型のピンに付け遺体用ドレスとセットで故人の顔を華やかに彩ることを特徴とする髪飾り。
【請求項４】
サテン生地とオーガンジー素材を花びら型に模り大小の花びらを合わせ大輪の花に見立てた手に通すこともできる袋で、故人への手紙や三途の川の渡り銭を入れるなどに利用し遺体用ドレスとセットで利用することを特徴とするポーチ。
【請求項５】
遺体の足元を包む靴下、容易に装着できる様に伸縮性のある素材を使用し、さらにサイズの調整が可能なように、レースにリボンを通し編み込み式にしてリボンの結び具合によりサイズの調整が可能で遺体用ドレスとセットで着衣することを特徴とする遺体用靴下。
【請求項６】
綿素材を使用し遺体の胸元で巻き右前身頃の紐を左前身頃の紐と結ぶ、胸元にゴムが入れてあるため体の大きさにしっかりと合わせることができ遺体用ドレスの下着としてセットで着衣することを特徴とする遺体用下着。
【手続補正２】
【補正対象書類名】明細書
【補正対象項目名】００１３
【補正方法】変更
【補正の内容】
【００１３】
【図１】本考案の一つの実施形態に係る遺体用ドレスの前面を示した斜視図である。
【図２】同じく、本考案の一つの実施形態に係る遺体用ドレスの背面を示した斜視図である。
【図３】同じく、本考案の一つの実施形態に係るケープの前面を示した斜視図である。
【図５】同じく、本考案の一つの実施形態に係る遺体用ドレスとケープを着付けた前面を示した平面図である。
【図６】同じく、本考案の一つの実施形態に係る遺体用ドレスとセットで顔面に乗せるベールの平面側の図である。
【図７】同じく、本考案の一つの実施形態に係る遺体用ドレスとセットで紙に飾る髪飾りの平面図である。
【図８】同じく、本考案の一つの実施形態に係る遺体用ドレスとセットで手に通して使用するポーチの平面側の図である。
【図９】同じく、本考案の一つの実施形態に係る遺体用ドレスとセットで足に履く遺体用靴下の斜視図である。
【図１０】同じく、本考案の一つの実施形態に係る遺体用ドレスとセットで遺体に着付ける遺体用下着の前面の平面図である。
【図１１】同じく、本考案に係るすべての部材をまとめて箱に納めた状態の斜視図である。